(57)【特許請求の範囲】
【請求項１】
毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出装置において、
一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する算出手段と、
前記重複単位画像であるか否かの判断対象の前記第１単位画像である対象第１単位画像の直前に表示されるべき前記第１単位画像である直前第１単位画像についての前記差情報である直前差情報、及び時間軸上で前記対象第１単位画像の直後に表示されるべき前記第１単位画像である直後第１単位画像についての前記差情報である直後差情報の夫々に対して、予め設定された０より大きく１より小さい定数である第１定数を夫々乗算し、夫々乗算済直前差情報及び乗算済直後差情報を生成する乗算手段と、
前記対象第１単位画像についての前記差情報である対象差情報が前記生成された乗算済直前差情報及び前記乗算済直後差情報のいずれよりも小さいとき、当該対象第１単位画像を前記重複単位画像と判定し、判定信号を生成する判定手段と、
を備えることを特徴とする重複画像検出装置。
【請求項２】
請求項１に記載の重複画像検出装置において、
前記判定手段は、前記対象差情報が前記乗算済直前差情報及び前記乗算済直後差情報のいずれよりも小さく、且つ、当該対象差情報が、時間軸上で前記直前第１単位画像の直前に表示されるべき前記第１単位画像についての前記差情報及び時間軸上で前記直後第１単位画像の直後に表示されるべき前記第１単位画像についての前記差情報のいずれよりも小さいとき、当該対象第１単位画像を前記重複単位画像と判定し、前記判定信号を生成することを特徴とする重複画像検出装置。
【請求項３】
請求項１に記載の重複画像検出装置において、
前記判定手段は、前記対象差情報が前記乗算済直前差情報と前記乗算済直後差情報のいずれよりも小さく、且つ、当該対象差情報が予め設定された第２定数よりも小さいとき、当該対象第１単位画像を前記重複単位画像と判定し、前記判定信号を生成することを特徴とする重複画像検出装置。
【請求項４】
毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出装置において、
一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する算出手段と、
前記重複単位画像であるか否かの判断対象の前記第１単位画像である対象第１単位画像についての前記差情報である対象差情報が、当該対象第１単位情報より前に表示されるべき前記第１単位画像である前第１単位画像についての前記差情報である前差情報、及び時間軸上で前記対象第１単位画像より後に表示されるべき前記第１単位画像である後第１単位画像についての前記差情報である後差情報のいずれよりも小さいとき、当該対象第１単位画像を前記重複単位画像と判定し、判定信号を生成する判定手段と、
を備えることを特徴とする重複画像検出装置。
【請求項５】
請求項４に記載の重複画像検出装置において、
前記判定手段は、前記対象差情報が前記前差情報及び前記後差情報のいずれよりも小さく、且つ、当該対象差情報が予め設定された第２定数よりも小さいとき、当該対象第１単位画像を前記重複単位画像と判定し、前記判定信号を生成することを特徴とする重複画像検出装置、
【請求項６】
請求項１から５のいずれか一項に記載の重複画像検出装置において、
前記差情報は、前記一の第１単位画像及び前記他の第１単位画像の夫々に含まれる各画素の輝度について、前記一の第１単位画像と前記他の第１単位画像との間で相互に対応する前記画素間の輝度の差の絶対値を、前記一の第１単位画像に含まれる全ての前記画素について加算して算出されることを特徴とする重複画像検出装置。
【請求項７】
請求項１から６に記載の重複画像検出装置と、
前記判定信号に基づいて前記重複単位画像を削除しつつ、前記第１画像情報を、毎秒Ｎ個（Ｎは自然数且つＭ＞Ｎ）表示される第２単位画像により構成される第２画像情報に変換する変換手段と、
を備えることを特徴とする画像変換装置。
【請求項８】
毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出方法において、
一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する算出工程と、
前記重複単位画像であるか否かの判断対象の前記第１単位画像である対象第１単位画像の直前に表示されるべき前記第１単位画像である直前第１単位画像についての前記差情報である直前差情報、及び時間軸上で前記対象第１単位画像の直後に表示されるべき前記第１単位画像である直後第１単位画像についての前記差情報である直後差情報の夫々に対して、予め設定された０より大きく１より小さい定数である第１定数を夫々乗算し、夫々乗算済直前差情報及び乗算済直後差情報を生成する乗算工程と、
前記対象第１単位画像についての前記差情報である対象差情報が前記生成された乗算済直前差情報及び前記乗算済直後差情報のいずれよりも小さいとき、当該対象第１単位画像を前記重複単位画像と判定し、判定信号を生成する判定工程と、
を含むことを特徴とする重複画像検出方法。
【請求項９】
請求項８に記載の重複画像検出方法において、
前記判定工程において、前記対象差情報が前記乗算済直前差情報及び前記乗算済直後差情報のいずれよりも小さく、且つ、当該対象差情報が、時間軸上で前記直前第１単位画像の直前に表示されるべき前記第１単位画像についての前記差情報及び時間軸上で前記直後第１単位画像の直後に表示されるべき前記第１単位画像についての前記差情報のいずれよりも小さいとき、当該対象第１単位画像を前記重複単位画像と判定し、前記判定信号を生成することを特徴とする重複画像検出方法。
【請求項１０】
請求項８に記載の重複画像検出方法において、
前記判定工程において、前記対象差情報が前記乗算済直前差情報と前記乗算済直後差情報のいずれよりも小さく、且つ、当該対象差情報が予め設定された第２定数よりも小さいとき、当該対象第１単位画像を前記重複単位画像と判定し、前記判定信号を生成することを特徴とする重複画像検出方法。
【請求項１１】
毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出方法において、
一の前記第１単位画像と、同一フィールドにおいて当該一の第１単位画像の直前に表示されるべき他の前記第１単位画像と、の差を、当該一の第１単位画像についての差情報として各前記第１単位情報毎に算出する算出工程と、
前記重複単位画像であるか否かの判断対象の前記第１単位画像である対象第１単位画像についての前記差情報である対象差情報が、当該対象第１単位情報より前に表示されるべき前記第１単位画像である前第１単位画像についての前記差情報である前差情報、及び時間軸上で前記対象第１単位画像より後に表示されるべき前記第１単位画像である後第１単位画像についての前記差情報である後差情報のいずれよりも小さいとき、当該対象第１単位画像を前記重複単位画像と判定し、判定信号を生成する判定工程と、
を含むことを特徴とする重複画像検出方法。
【請求項１２】
請求項１１に記載の重複画像検出方法において、
前記判定工程において、前記対象差情報が前記前差情報及び前記後差情報のいずれよりも小さく、且つ、当該対象差情報が予め設定された第２定数よりも小さいとき、当該対象第１単位画像を前記重複単位画像と判定し、前記判定信号を生成することを特徴とする重複画像検出方法、
【請求項１３】
請求項８から１２のいずれか一項に記載の重複画像検出方法において、
前記差情報は、前記一の第１単位画像及び前記他の第１単位画像の夫々に含まれる各画素の輝度について、前記一の第１単位画像と前記他の第１単位画像との間で相互に対応する前記画素間の輝度の差の絶対値を、前記一の第１単位画像に含まれる全ての前記画素について加算して算出されることを特徴とする重複画像検出方法。
【請求項１４】
請求項８から１３に記載の重複画像検出方法と、
前記判定信号に基づいて前記重複単位画像を削除しつつ、前記第１画像情報を、毎秒Ｎ個（Ｎは自然数且つＭ＞Ｎ）表示される第２単位画像により構成される第２画像情報に変換する変換工程と、
を備えることを特徴とする画像変換方法。
【発明の詳細な説明】
【０００１】
【発明の属する技術分野】
本発明は、例えば、ＮＴＳＣ（National  Television  System  Committee）方式のビデオ信号（毎秒３０フレームの画像を含む）を毎秒２４コマの画像により構成される画像信号に変換する如く、一の画像情報を、単位時間内に含まれる単位画像の数が異なる他の画像情報に変換する画像変換装置の技術分野に属する。
【０００２】
【従来の技術】
近年、記録容量を飛躍的に向上させた記録媒体であるＤＶＤが一般化しつつある。
【０００３】
ここで、従来からある映画（毎秒２４コマのコマを含む）を当該ＤＶＤに記録する場合を考えると、当該ＤＶＤへ記録される画像情報は通常は上記ＮＴＳＣ方式のビデオ信号（毎秒３０フレームの画像を含む）であることが必要とされている。
【０００４】
そこで、従来では、毎秒２４コマのコマを含む映画素材を毎秒３０フレームの画像を含むビデオ信号に変換するため、当該映画素材に対していわゆるテレシネ変換（または、２−３プルダウン変換とも称される。）を施してビデオ信号を得、これを複数の画素により構成されるディジタル的な画像信号に変換した後にいわゆるＭＰＥＧ−２（Moving  Picture  Expert  Group−２）方式等の画像符号化技術を用いて上記ＤＶＤに記録することが一般的であった。
【０００５】
すなわち、上記テレシネ変換についてより具体的に図５を用いて説明すると、当該テレシネ変換では、毎秒２４コマのコマを含む映画素材を構成するあるコマ３０乃至３４をテレシネ変換すると、ビデオ信号の各フレームにおける第１フィールドとしてはフィールド４０、４２、４４、４６、４８、５０及び５２が得られ、ビデオ信号の各フレームにおける第２フィールドとしてはフィールド４１、４３、４５、４７、４９及び５１が得られる。このとき、フィールド４０及び４１、４２及び４３、４４及び４５、４６及び４７、４８及び４９、５０及び５１が夫々にビデオ信号における１フレームを構成することとなる。
【０００６】
ここで、上記テレシネ変換後のビデオ信号については、元々毎秒２４コマしかなかった画像から毎秒３０フレームの画像を生成するため、全く同じ絵柄のフィールド（以下、重複フィールドと称する。）が二つ以上存在したり、又は、全く絵柄の異なった二つのフィールドで一のフレームが構成されることがある。
【０００７】
すなわち、通常、重複フィールドとは同位相で同じ絵柄のフィールドを指すので、図５に示す例では、フィールド４０と４２、４５と４７、５０と５２が夫々に重複フィールドである。また、フィールド４２及び４３又は４４及び４５が夫々全く絵柄の異なった二つのフィールドで一のフレームを構成している。
【０００８】
このとき、当該テレシネ変換後のビデオ信号をＭＰＥＧ−２方式を用いてＤＶＤに記録する場合を考えると、ビデオ信号中に全く同じ絵柄のフィールドが二つ以上存在していた場合は、同じ二つのフィールドに対して同じ符号化処理を繰り返すことが必要であり、一方、全く絵柄の異なった二つのフィールドで一のフレームが構成されていた場合は、一のフレーム含まれる二つのフィールド間でＭＰＥＧ−２方式上の相関関係が全くないこととなり、いずれの場合も、ＭＰＥＧ−２処理を行う上では極めて符号化効率が悪いこととなる。
【０００９】
そこで、当該テレシネ変換後のビデオ信号に対してＭＰＥＧ−２方式の符号化を施す前に、当該ビデオ信号を毎秒２４コマのコマにより構成される画像信号に変換してから（すなわち、逆テレシネ変換を行った後に）符号化することが行われていた。
【００１０】
ここで、従来の逆テレシネ変換では、ビデオ信号における同一位相の二つのフィールドの夫々に含まれる上記各画素の輝度について、二つの当該フィールド間で相互に対応する画素間の輝度の差の絶対値を一のフィールドに含まれる全ての画素について加算することにより絶対値和を算出し、当該算出された絶対値和が予め実験的に設定されている閾値より小さかった場合に当該一のフィールドが他のフィールドと重複している重複フィールドであると判定し、当該重複フィールドを削除しつつ逆テレシネ変換を行うことが通常であった。
【００１１】
【発明が解決しようとする課題】
しかしながら、理論上は上記重複フィールドではその上記絶対値和は零となるはずであるが、実際のビデオ信号ではテレシネ変換の際の雑音等に起因して当該絶対値和が零となることはむしろ少なく、当該絶対値和の値は、元の映画素材の種類やテレシネ変換時の条件等により大きく変化することが通常である。
【００１２】
このため、従来のように一定の閾値を用いて重複フィールドの検出を行うと、正確に検出できず、その場合にはＭＰＥＧ−２方式における符号化効率が低下してしまうという問題点があった。
【００１３】
そこで、本発明は、上記の問題点に鑑みて為されたもので、その課題は、テレシネ変換で生じたビデオ信号における重複フィールドを正確且つ確実に検出することが可能な重複画像検出装置を提供すると共に、当該重複画像検出装置を備えて画像変換が可能な画像変換装置及び当該画像変換により生成された画像情報が記録された画像記録媒体を提供することにある。
【００１４】
【課題を解決するための手段】
上記の課題を解決するために、請求項１に記載の発明は、毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出装置において、一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する絶対値計算器等の算出手段と、前記重複単位画像であるか否かの判断対象の前記第１単位画像である対象第１単位画像の直前に表示されるべき前記第１単位画像である直前第１単位画像についての前記差情報である直前差情報、及び時間軸上で前記対象第１単位画像の直後に表示されるべき前記第１単位画像である直後第１単位画像についての前記差情報である直後差情報の夫々に対して、予め設定された０より大きく１より小さい定数である第１定数を夫々乗算し、夫々乗算済直前差情報及び乗算済直後差情報を生成する乗算器等の乗算手段と、前記対象第１単位画像についての前記差情報である対象差情報が前記生成された乗算済直前差情報及び前記乗算済直後差情報のいずれよりも小さいとき、当該対象第１単位画像を前記重複単位画像と判定し、判定信号を生成するフラグ生成器等の判定手段と、を備える。
【００１５】
上記の課題を解決するために、請求項４に記載の発明は、毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出装置において、一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する絶対値計算器等の算出手段と、前記重複単位画像であるか否かの判断対象の前記第１単位画像である対象第１単位画像についての前記差情報である対象差情報が、当該対象第１単位情報より前に表示されるべき前記第１単位画像である前第１単位画像についての前記差情報である前差情報、及び時間軸上で前記対象第１単位画像より後に表示されるべき前記第１単位画像である後第１単位画像についての前記差情報である後差情報のいずれよりも小さいとき、当該対象第１単位画像を前記重複単位画像と判定し、判定信号を生成するフラグ生成器等の判定手段と、を備える。
【００１６】
上記の課題を解決するために、請求項８に記載の発明は、毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出方法において、一の前記第１単位画像と、同一の前記フィールドにおいて当該一の第１単位画像の直前に表示されるべき他の前記第１単位画像と、の差を、当該一の第１単位画像についての差情報として各前記第１単位情報毎に算出する算出工程と、前記重複単位画像であるか否かの判断対象の前記第１単位画像である対象第１単位画像の直前に表示されるべき前記第１単位画像である直前第１単位画像についての前記差情報である直前差情報、及び時間軸上で前記対象第１単位画像の直後に表示されるべき前記第１単位画像である直後第１単位画像についての前記差情報である直後差情報の夫々に対して、予め設定された０より大きく１より小さい定数である第１定数を夫々乗算し、夫々乗算済直前差情報及び乗算済直後差情報を生成する乗算工程と、前記対象第１単位画像についての前記差情報である対象差情報が前記生成された乗算済直前差情報及び前記乗算済直後差情報のいずれよりも小さいとき、当該対象第１単位画像を前記重複単位画像と判定し、判定信号を生成する判定工程と、を含む。
【００１７】
上記の課題を解決するために、請求項１１に記載の発明は、毎秒Ｌ（Ｌは自然数）個表示される原単位画像により構成されている原画像情報を変換して得られ且つ毎秒Ｍ個（Ｍは自然数且つＭ＞Ｌ）表示される第１単位画像により構成されている第１画像情報内において、同一のフィールドにおいて連続する同一の前記第１単位画像である重複単位画像を検出する重複画像検出方法において、一の前記第１単位画像と、同一フィールドにおいて当該一の第１単位画像の直前に表示されるべき他の前記第１単位画像と、の差を、当該一の第１単位画像についての差情報として各前記第１単位情報毎に算出する算出工程と、前記重複単位画像であるか否かの判断対象の前記第１単位画像である対象第１単位画像についての前記差情報である対象差情報が、当該対象第１単位情報より前に表示されるべき前記第１単位画像である前第１単位画像についての前記差情報である前差情報、及び時間軸上で前記対象第１単位画像より後に表示されるべき前記第１単位画像である後第１単位画像についての前記差情報である後差情報のいずれよりも小さいとき、当該対象第１単位画像を前記重複単位画像と判定し、判定信号を生成する判定工程と、を含む。
【００６２】
【発明の実施の形態】
次に、本発明に好適な実施の形態について、図面に基づいて説明する。なお、以下に説明する実施形態は、ＶＴＲ（Video  Tape  Recorder）に記録されている画像情報に基づいて、ＤＶＤを大量生産するためのいわゆるマスタディスクを製造する画像記録装置における逆テレシネ変換を行う画像変換器に対して本発明を適用した場合の実施形態である。
【００６３】
（Ｉ）実施形態
図１に示すように、実施形態に係る画像記録装置Ｓは、上記ＶＴＲ１と、Ａ／Ｄ変換器２と、本発明に係る画像変換器３と、エンコーダ４と、カッティング装置５と、により構成されている。
【００６４】
次に動作を説明する。
【００６５】
ＶＴＲ１には、テレビカメラ等により被写体を撮影して生成されたビデオ信号Ｓcm（毎秒３０フレームの画像により構成されている。）又は上記テレシネ変換後のビデオ信号であるテレシネ信号Ｓtrのうち、いずれか一方が記録されている。
【００６６】
なお、この場合のビデオ信号Ｓcmは、元々映画素材ではなかったものであり、被写体を直接撮影して毎秒３０フレームのビデオ信号Ｓcmに変換したものであるから、このビデオ信号Ｓcmには図５に示すビデオ信号のような重複フィールドは含まれていない。
【００６７】
そして、当該ＶＴＲ１は、ビデオ信号Ｓcmを記録していた場合には、それを所定のタイミングでＡ／Ｄ変換器２に出力する。一方、テレシネ信号Ｓtrを記録していた場合には、それを所定のタイミングでＡ／Ｄ変換器３に出力する。
【００６８】
次に、Ａ／Ｄ変換器２は、ビデオ信号Ｓcm又はテレシネ信号Ｓtrのいずれか一方が入力されたときに、当該入力された信号における一のフィールドを、例えば７２０個×４８０個（国際規格ＩＴＵ−Ｒ勧告６０１に準拠する場合）の画素に分解すると共に、当該画素の輝度をディジタル値に変換し、ディジタルビデオ信号Ｓcmd（Ａ／Ｄ変換器２にビデオ信号Ｓcmが入力された場合）又はディジタルテレシネ信号Ｓtrd（Ａ／Ｄ変換器２にテレシネ信号Ｓtrが入力された場合）を生成して夫々エンコーダ４又は画像変換器３へ出力する。
【００６９】
次に、画像変換器３は、本発明に係る重複フィールド検出処理を用いて重複フィールドを削除しつつディジタルテレシネ信号Ｓtrdに対して逆テレシネ変換を行い、変換信号Ｓchを生成してエンコーダ４に出力する。この変換信号Ｓchには最早重複フィールドは含まれていない。
【００７０】
そして、エンコーダ４は、ディジタルビデオ信号Ｓcmd又は上記変換信号Ｓchに対して、ＭＰＥＧ−２方式による符号化処理を行い、記録信号Ｓrを生成してカッティング装置５に出力する。
【００７１】
その後、カッティング装置５は、入力された記録信号Ｓrに基づいてレーザ光等の光ビームを強度変調し、レジスト等が塗布されていると共に回転されている原盤ディスク上に照射する。これにより、記録信号Ｓrに対応した情報が記録されたＤＶＤを大量製造するための画像記録媒体としてのマスタディスクＭが製造される。
【００７２】
なお、図１に示す構成において、テレシネ信号Ｓtrをそのままディジタル放送の素材として用いることもできる。
【００７３】
また、変換信号Ｓchを例えば毎秒２４コマの画像からなる画像情報を記録可能な他のＶＴＲに一時的に記録し、所定のタイミングでこれを読み出してエンコーダ４に入力し、符号化するように構成することもできる。
【００７４】
次に、本発明に係る画像変換器３の細部構成について、図２を用いて説明する。
【００７５】
図２に示すように、画像変換器３は、算出手段としての１フレーム遅延器１０と、加算器１１と、算出手段としての絶対値計算器１２と、フィルタ１３と、算出手段としての１フィールド累算器１４と、１フィールド遅延器１５乃至１８と、メモリ１９及び２０と、比較器２１乃至２５と、判定手段としてのフラグ生成器２６と、変換手段としての逆テレシネ変換器２７と、乗算手段としての乗算器２８及び２９と、遅延器９０と、により構成されている。
【００７６】
次に、動作を説明する。
【００７７】
Ａ／Ｄ変換器２から入力されたディジタルテレシネ信号Ｓtrd（図５に示すように、重複フィールドを含んでいる。）は、１フレーム遅延器１０に出力されると共に、その反転信号が加算器１１に出力される。
【００７８】
そして、１フレーム遅延器１０は、入力されたディジタルテレシネ信号Ｓtrdを１フレーム分だけ遅延し、遅延信号Ｓｄとして加算器１１に出力する。
【００７９】
次に、加算器１１は、遅延信号Ｓｄに含まれる各画素の輝度（ディジタル値）から同時に入力されているディジタルテレシネ信号Ｓtrdにおける対応する画素の輝度（ディジタル値）を減算し、減算信号Ｓaを生成して絶対値計算器１２に出力する。
【００８０】
次に、絶対値計算器１２は、減算信号に含まれる各画素毎に減算値の絶対値を計算し、絶対値信号Ｓabを生成してフィルタ１３に出力する。
【００８１】
そして、フィルタ１３は、入力された絶対値信号Ｓabにより示される各画素に対応する絶対値の夫々が予め設定された定数ｂよりも小さいか否かを判定し、当該定数ｂよりも絶対値が小さいときは「０」を示すフィルタ信号Ｓfaを生成して１フィールド累算器１４に出力し、一方、当該絶対値が定数ｂ以上であるときは、その絶対値をそのままフィルタ信号Ｓfaとして１フィールド累算器１４に出力する。
【００８２】
すなわち、フィルタ１３においては、ｊをフィールド番号としｉを画素番号として（以下の説明において同じ。）ｊ番目のフィールドのｉ番目の画素の輝度をｘj,iとすると、
【数１】
｜ｘj-2,i−ｘj,i｜＞ｂ
のときはそのまま｜ｘj-2,i−ｘj,i｜に対応するフィルタ信号Ｓfaを生成し、一方、
【数２】
｜ｘj-2,i−ｘj,i｜≦ｂ
のときは「０」を示すフィルタ信号Ｓfaを生成する。
【００８３】
このフィルタ１３の処理は、元のディジタルテレシネ信号Ｓtrdに重畳されている雑音（テレシネ変換時の雑音等）の影響を概略的に除去するためのものであり、１フレーム前の同じ画素との間の輝度の差が大きい画素は二つのフレーム間で絵柄が変化したものであるとして絶対値信号Ｓabをそのまま出力し、当該差が小さい時は、当該二つのフレーム間では絵柄は変化しておらず、絶対値信号Ｓabとして出力された輝度の差は上記雑音によるものとしてその値を「０」に置換するものである。従って、フィルタ１３における処理の基準となる上記定数ｂは、当該雑音の影響を見極まることが可能なように実験的に決定される。
【００８４】
次に、フィルタ信号Ｓfaが入力されている１フィールド累算器１４は、一フィールド内に含まれる各画素に対応するフィルタ信号Ｓfaをすべて累積加算し、累積信号Ｓfdを生成して１フィールド遅延器１５に出力すると共に比較器２１に出力する。
【００８５】
ここで、累積信号Ｓfdに含まれるのは、ディジタルテレシネ信号Ｓtrd内の同一位相である二つのフィールドの夫々に含まれる各画素の輝度について、二つのフィールド間で相互に対応する画素間の輝度の差の絶対値を一のフィールドに含まれる全ての画素について加算したものであり、その値（以下、この値を各フィールド毎の絶対値和と称する。）をＳjとすると、
【数３】
0003686249.tif 000002
となる。このとき、Ｎは一フィールド内の画素の総数である。
【００８６】
次に、１フィールド遅延器１５は、累積信号Ｓfdを一フィールド分遅延し、遅延信号Ｓda1を生成して乗算器２８及び１フィールド遅延器１６に出力する。
【００８７】
次に、１フィールド遅延器１６は、遅延信号Ｓda1を一フィールド分遅延し、遅延信号Ｓda2を生成して１フィールド遅延器１７及び比較器２１乃至２５に出力する。
【００８８】
次に、１フィールド遅延器１７は、遅延信号Ｓda2を一フィールド分遅延し、遅延信号Ｓda3を生成して１フィールド遅延器１８及び乗算器２９に出力する。
【００８９】
次に、１フィールド遅延器１８は、遅延信号Ｓda3を一フィールド分遅延し、遅延信号Ｓda4を生成して比較器２５に出力する。
【００９０】
このとき、メモリ１９は、後述する定数Ｋを記憶しており、当該定数Ｋに対応する定数信号Ｓrkを比較器２３に出力する。
【００９１】
更に、メモリ２０は、後述する０より大きく１未満の値の定数ａを記憶しており、当該定数ａに対応する定数信号Ｓraを各乗算器２８及び２９に出力する。
【００９２】
これにより、乗算器２８は、定数信号Ｓraに含まれる定数ａを遅延信号Ｓda1に含まれる各フィールドの絶対値和に乗算し比較器２２に出力する。
【００９３】
また、乗算器２９は、定数信号Ｓraに含まれる定数ａを遅延信号Ｓda3に含まれる各フィールドの絶対値和に乗算し比較器２４に出力する。
【００９４】
そして、比較器２１は、累積信号Ｓfdと遅延信号Ｓda2（以下、当該遅延信号Ｓda2に含まれるフィールドの絶対値和をＳjとする。）とを比較し、
【数４】
Ｓj＜Ｓj+2  …（１）
であるときに「ＨＩＧＨ」となる比較信号Ｓc1をフラグ生成器２６に出力する。すなわち、比較信号Ｓc1は、重複フィールドであるか否かを判定するフィールドに対応する絶対値和が、時間軸上で二つ後のフィールドの絶対値和よりも小さいことを示す。
【００９５】
次に、比較器２２は、乗算器２８の出力信号と遅延信号Ｓda2とを比較し、
【数５】
Ｓj＜ａＳj+1  …（２）
であるときに「ＨＩＧＨ」となる比較信号Ｓc2をフラグ生成器２６に出力する。すなわち、比較信号Ｓc2は、重複フィールドであるか否かを判定するフィールドに対応する絶対値和が、時間軸上で一つ後のフィールドの絶対値和に１未満の定数ａを乗算したものよりも小さいことを示す。
【００９６】
次に、比較器２３は、定数信号Ｓrkに含まれている定数Ｋと遅延信号Ｓda2とを比較し、
【数６】
Ｓj＜Ｋ  …（３）
であるときに「ＨＩＧＨ」となる比較信号Ｓc3をフラグ生成器２６に出力する。
【００９７】
次に、比較器２４は、乗算器２９の出力信号と遅延信号Ｓda2とを比較し、
【数７】
Ｓj＜ａＳj-1  …（４）
であるときに「ＨＩＧＨ」となる比較信号Ｓc4をフラグ生成器２６に出力する。すなわち、比較信号Ｓc4は、重複フィールドであるか否かを判定するフィールドに対応する絶対値和が、時間軸上で一つ先のフィールドの絶対値和に上記定数ａを乗算したものよりも小さいことを示す。
【００９８】
次に、比較器２５は、遅延信号Ｓda4と遅延信号Ｓda2とを比較し、
【数８】
Ｓj＜Ｓj-2  …（５）
であるときに「ＨＩＧＨ」となる比較信号Ｓc5をフラグ生成器２６に出力する。すなわち、比較信号Ｓc5は、重複フィールドであるか否かを判定するフィールドに対応する絶対値和が、時間軸上で二つ先のフィールドの絶対値和よりも小さいことを示す。
【００９９】
次に、フラグ生成器２６は、上記各比較信号Ｓc1乃至Ｓc5を用いて絶対値和Ｓjに対応するフィールドが重複フィールドか否かを判定し、フラグ信号Ｓfを出力する。
【０１００】
ここで、当該比較信号Ｓc1乃至Ｓc5を用いる重複フィールドの判定方法としては種々の方法が考えられる。そこで、以下、簡略な構成で且つ最も正確に重複フィールドを判定する方法について説明する。
【０１０１】
すなわち、フラグ生成器２６を、上記各比較信号Ｓc1乃至Ｓc5のうち比較信号Ｓc3を除く全ての比較信号を入力信号とするアンド回路により構成し、各比較信号Ｓc1、Ｓc2、Ｓc4及びＳc5が全て「ＨＩＧＨ」となったとき、すなわち、上記式（１）、（２）、（４）及び（５）が全て成立した場合に、当該絶対値和Ｓｊに対応するフィールドが重複フィールドであると判定してその旨を示すフラグを含むフラグ信号Ｓｆを生成して逆テレシネ変換器２７に出力するようにすることができる。
【０１０２】
そして、逆テレシネ変換器２７は、当該フラグ信号Ｓｆに含まれるフラグに基づいて重複フィールドを判定し、これを遅延器９０により所定時間遅延されたディジタルテレシネ信号Ｓtrdから削除しつつ当該ディジタルテレシネ信号Ｓtrdに対して逆テレシネ変換を施し、対応する上記変換信号Ｓchを出力する。このとき、ディジタルテレシネ信号Ｓtrdを遅延器９０で遅延した後逆テレシネ変換器２７に入力するのは、ディジタルテレシネ信号Ｓtrdと逆テレシネ変換器２７とのタイミング整合を取るためである。
【０１０３】
ここで、上記した場合のフラグ生成器２６の処理について更に説明すると、当該フラグ生成器２６では、重複フィールドか否かを判定しようとするフィールドに対応する絶対値和（絶対値和Ｓj。以下、対象絶対値和と称する。）が、その直前と直後のフィールドの絶対値和に定数ａを乗算したもののいずれよりも小さく、且つ、当該判定しようとするフィールドの二つ先及び二つ後のフィールドの絶対値和のいずれよりも小さいときに、当該フィールドが重複フィールドであると判定している。
【０１０４】
このうち、対象絶対値和が、その直前と直後のフィールドの絶対値和に定数ａを乗算したもののいずれよりも小さいか否かを判定するのは、元のディジタルテレシネ信号Ｓtrdに種々の雑音が含まれていたとしても、あるフィールドが重複フィールドであった場合には、その絶対値和はその直前と直後のフィールドの絶対値和よりも相対的に小さくなるという事実を利用するものである。
【０１０５】
なお、対象絶対値和を当該直前と直後のフィールドの絶対値和に１未満の正の定数ａを乗算したものと比較するのは、当該対象絶対値和とその直前と直後のフィールドの絶対値和そのものとを比較すると、当該対象絶対値和がその対応するフィールドのみに混入した雑音によりその直前と直後のフィールドの絶対値和よりも低くなることで、当該対象絶対値和に対応するフィールドが重複フィールドでないにも拘わらず比較信号Ｓc2又はＳc4が「ＨＩＧＨ」となることを防止するためのである。このため、当該定数ａの値としては、例えば０．７乃至０．８程度の値を実験的に設定することが望ましい。
【０１０６】
一方、対象絶対値和が当該判定しようとするフィールドの二つ先及び二つ後のフィールドの絶対値和のいずれよりも小さいか判定するのは、混入した雑音の種類又は程度により、上記比較信号Ｓc2又はＳc4だけでは誤判定する場合もあると考えられるため、この誤判定を防止すべく、二つ先又は二つ後のフィールドの絶対値和との関係も検出し、それらよりも対象絶対値和が低い時に重複フィールドとして判定するものである。
【０１０７】
そして、以上のようにして判定された重複フィールドを示すフラグ信号Ｓfに基づいて、逆テレシネ変換器２７では、例えば図３に示すように、ディジタルテレシネ信号Ｓtrdにおけるフィールド４２、４７及び５２を重複フィールドと判定し、これ以外のフィールド４０、４１、４３、４４、４５、４６、４８、４９、５０及び５１によりコマ６０乃至６４を含む変換信号Ｓchを生成してエンコーダ４に出力することとなる。
【０１０８】
以上説明したように、実施形態の画像変換器３を含む画像情報記録装置Ｓの処理によれば、対象絶対値和と、それに対応するフィールドの直前と直後の二つのフィールドの絶対値和との相対的関係により重複フィールドを検出するので、正確且つ確実に重複フィールドを検出して重複画像のない変換信号Ｓchを生成することができる。
【０１０９】
また、二つ先及び二つ後の二つのフィールドの絶対値和との相対的関係をも加味して重複フィールドを検出するので、より正確に重複フィールドを検出することができる。
【０１１０】
更に、同一位相である連続した二つのフィールドの夫々に含まれる各画素の輝度について、二つのフィールドにおける絶対値和を用いて重複フィールドを検出するので、実際に表示されるフィールドに直接影響を与えるパラメータを差情報とすることができる。
【０１１１】
また、画像記録装置Ｓに製造されたマスタディスクＭにおいては、不要な重複フィールドが記録されることがなく、マスタディスクＭ上の記録領域を有効に活用できる。
【０１１２】
（II）変形形態
次に、本発明に係る変形形態について説明する。
【０１１３】
先ず、上述の実施形態では、各比較信号Ｓc1乃至Ｓc5のうち、比較信号Ｓc3を除く全ての比較信号に基づいて重複フィールドを判定したが、これ以外に、上記比較信号Ｓc3をも用いて重複フィールドを判定してもよい。
【０１１４】
この場合には、フラグ生成器２６としては、各比較信号比較信号Ｓc1乃至Ｓc5の全てを入力信号とする一のアンド回路により構成することとなり、フラグ信号Ｓfは全ての比較信号が「ＨＩＧＨ」の時に「ＨＩＧＨ」となる。
【０１１５】
このように構成すれば、上記実施形態の効果と同様に正確に重複フィールドを検出することができる。
【０１１６】
また、上記比較信号Ｓc2及びＳc4のみを用いて重複フィールドを判定することとしてもよい。
【０１１７】
この場合には、フラグ生成器２６としては、各比較信号比較信号Ｓc2及びＳc4のみを入力信号とする一のアンド回路により構成することとなり、フラグ信号Ｓfは比較信号比較信号Ｓc2及びＳc4が共に「ＨＩＧＨ」の時に「ＨＩＧＨ」となる。
【０１１８】
このように構成すれば、上記実施形態の画像変換器３のうち、１フィールド遅延器１５及び１８、比較器２１、２３及び２５並びにメモリ１９が不要となり、構成を複雑化することなく、且つ正確性を向上させて重複単位を検出することができる。
【０１１９】
更に、同様にして、上記比較信号Ｓc1及びＳc5のみを用いて重複フィールドを判定することとしてもよい。
【０１２０】
更にまた、比較信号Ｓc2、Ｓc3及びＳc4を用いて重複フィールドを判定することとしてもよい。
【０１２１】
この場合には、フラグ生成器２６としては、各比較信号Ｓc2、Ｓc3及びＳc4を入力信号とする一のアンド回路により構成することとなり、フラグ信号Ｓfは比較信号比較信号Ｓc2、Ｓc3及びＳc4が共に「ＨＩＧＨ」の時に「ＨＩＧＨ」となる。
【０１２２】
更に、比較信号Ｓc1、Ｓc3及びＳc5を用いて重複フィールドを判定することとしてもよい。
【０１２３】
この場合には、フラグ生成器２６としては、各比較信号Ｓc1、Ｓc3及びＳc5を入力信号とする一のアンド回路により構成することとなり、フラグ信号Ｓfは比較信号Ｓc1、Ｓc3及びＳc5が共に「ＨＩＧＨ」の時に「ＨＩＧＨ」となる。この構成によると、上述乗算器２８及び２９が不要なので、フラグ生成器２６の構成を簡略化できる。
【０１２４】
更に、各比較信号のうち、いずれか二つ以上が「ＨＩＧＨ」のときにフラグ信号Ｓfが「ＨＩＧＨ」となるように構成することもできる。
【０１２５】
この場合には、フラグ生成器２６としては、図４に示すように、各比較信号の内、二つづつの異なる比較信号を夫々入力とする二入力の十個のアンド回路７０乃至７９と、各アンド回路７０乃至７９の全ての出力信号を入力信号とし、フラグ信号Ｓfを出力信号とするオア回路８０とにより構成することとなる。
【０１２６】
更にまた、各比較信号のうち、いずれか三つ以上が「ＨＩＧＨ」のときにフラグ信号Ｓfが「ＨＩＧＨ」となるように構成することもできる。
【０１２７】
この場合には、フラグ生成器２６としては、図４に示す場合と同様に、各比較信号の内、三つづつの異なる比較信号を夫々入力とする三入力の十個のアンド回路と、各アンド回路の全ての出力信号を入力信号とし、フラグ信号Ｓfを出力信号とするオア回路とにより構成することとなる。
【０１２８】
また、各比較信号のうち、いずれか四つ以上が「ＨＩＧＨ」のときにフラグ信号Ｓfが「ＨＩＧＨ」となるように構成することもできる。
【０１２９】
この場合には、フラグ生成器２６としては、図４に示す場合と同様に、各比較信号の内、四つづつの異なる比較信号を夫々入力とする四入力の五個のアンド回路と、各アンド回路の全ての出力信号を入力信号とし、フラグ信号Ｓfを出力信号とするオア回路とにより構成することとなる。
【０１３０】
以上夫々説明したように、本発明の実施形態又は変形形態によれば、対象絶対値和と、それに対応するフィールドの直前と直後の二つのフィールドの絶対値和（以下、直前絶対値和及び直後絶対値和と称する）に定数ａを乗算した値とを比較して重複フィールドを検出するので、正確且つ確実に重複フィールドを検出することができる。
【０１３１】
また、対象絶対値和が直前絶対値和及び直後絶対値和のいずれよりも小さく、且つ、当該対象絶対値和が、当該対象絶対値和に対応するフィールドの二つ前と二つ後の二つのフィールドの絶対値和のいずれよりも小さいとき、当該対象絶対値和に対応するフィールドを重複フィールドと判定するので、より正確に重複フィールドを検出することができる。
【０１３２】
更に、対象絶対値和が直前絶対値和及び直後絶対値和のいずれよりも小さく、且つ、当該対象絶対値和が定数Ｋよりも小さいとき、当該対象絶対値和に対応するフィールドを重複フィールドと判定するので、より正確に重複フィールドを検出することができる。
【０１３３】
更にまた、各絶対値和を各フィールド毎に算出し、対象絶対値和が直前絶対値和及び直後絶対値和のいずれよりも小さいとき、当該対象絶対値和に対応するフィールドを重複フィールドと判定し、フラグ信号Ｓfを生成するので、構成を複雑化することなく、且つ正確性を向上させて重複フィールドを検出することができる。
【０１３５】
また、絶対値和が、同一フィールドで連続する二つのフィールドの夫々に含まれる各画素の輝度について、当該二つのフィールド間で相互に対応する画素間の輝度の差の絶対値を一のフィールドに含まれる全ての画素について加算して算出されるので、実際に表示される画像に直接影響を与えるパラメータを差情報とすることができる。
【０１３６】
更に、フラグ信号Ｓfに基づいて重複フィールドを削除しつつディジタルテレシネ信号Ｓtrdを変換信号Ｓchに変換するので、効率的にディジタルテレシネ信号Ｓtrdを変換信号Ｓchに変換することができる。
【０１４４】
更にまた、上記変換信号Ｓchに基づいて符号化された記録信号ＳrをマスタディスクＭに記録し、更に当該マスタディスクＭによりレプリカディスクを製造すれば、不要な重複フィールドがマスタディスクＭ及びこれを複製して得られるレプリカディスクに記録されることがなく、マスタディスクＭ又はレプリカディスク上の記録領域を有効に活用できる。
【図面の簡単な説明】
【図１】実施形態の情報記録装置の概要構成を示すブロック図である。
【図２】画像変換器の細部構成を示すブロック図である。
【図３】逆テレシネ変換を示す図である。
【図４】フラグ生成器の概要構成の一例を示すブロック図である
【図５】従来のテレシネ変換を示す図である。
【符号の説明】
１…ＶＴＲ
２…Ａ／Ｄ変換器
３…画像変換器
４…エンコーダ
５…カッティング装置
１０…１フレーム遅延器
１１…加算器
１２…絶対値計算器
１３…フィルタ
１４…１フィールド累算器
１５、１６、１７、１８…１フィールド遅延器
１９、２０…メモリ
２１、２２、２３、２４、２５…比較器
２６…フラグ生成器
２７…逆テレシネ変換器
２８、２９…乗算器
３０、３１、３２、３３、３４、６０、６１、６２、６３、６４…コマ
、４０、４１、４２、４３、４４、４５、４６、４７、４８、４９、５０、５１、５２…フィールド
７０、７１、７２、７３、７４、７５、７６、７７、７８、７９…アンド回路
８０…オア回路
Ｓcm…ビデオ信号
Ｓtr…テレシネ信号
Ｓcmd…ディジタルビデオ信号
Ｓtrd…ディジタルテレシネ信号
Ｓch…変換信号
Ｓr…記録信号
Ｓd、Ｓda1、Ｓda2、Ｓda3、Ｓda4…遅延信号
Ｓa…減算信号
Ｓab…絶対値信号
Ｓfa…フィルタ信号
Ｓfd…累積信号
Ｓrk、Ｓra…定数信号
Ｓc1、Ｓc2、Ｓc3、Ｓc4、Ｓc5…比較信号
Ｓf…フラグ信号
Ｍ…マスタディスク
Ｓ…情報記録装置
【図１】
0003686249.tif 000003
【図２】
0003686249.tif 000004
【図３】
0003686249.tif 000005
【図４】
0003686249.tif 000006
【図５】
0003686249.tif 000007